(57)【特許請求の範囲】
【請求項１】
筆記端部とねじを切った端部とを持つ新しいペン先と、２個の端部を持つ筒と、前記新しいまたは使用済みペン先の筆記端部を保持するため内部に劃成された開放型ソケットを有する２個の栓とを準備し、前記栓のうちの第１の栓には前記新しいペン先の筆記端部を保持させて前記筒の一端に嵌合させ、前記栓のうちの第２の栓を他の端部に嵌合させて前記ソケットを互いに対面させ、それにより前記新しいペン先を前記第１の栓と前記筒とで包囲し、
前記第２の栓を前記筒から取り除き、
一端にねじ込まれている使用済みのペン先を有する筆記具を準備し、
前記筒から取り除かれた前記第２の栓の前記ソケットを前記使用済みのペン先に嵌合させ、
前記第２の栓を回転させて前記使用済みのペン先を前記筆記具から外し、
前記新しいペン先を保持している前記第１の栓を前記筒から外し、そして
前記新しいペン先を回転させて前記筆記具にねじ込むことよりなるペン先の交換方法。
【請求項２】
次いで前記新しいペン先の筆記端部から前記第１の栓を外す工程を有する請求項１記載の方法。
【請求項３】
次いで前記筒から外した前記第１の栓と前記使用済みペン先を保持した前記第２の栓とを前記筒の両端にそれぞれ嵌合させる請求項２記載の方法。
【請求項４】
筆記ペン先端部とねじ切り端部との２個の端部を持ち両端部間に劃成された中央の長手方向の軸とを有し、前記ペン先端部はその下方に沿って形成された軸方向の溝を有する、新しいペン先と、
前記新しいペン先の筆記端部と作動的に係合するためその内部に劃成された開放型ソケットを持ち、その外周に沿い等距離離れかつ前記中央の長手軸に平行に延びる複数のリブを有する第１の栓と、
前記新しいペン先の筆記端部と作動的に係合するためその内部に劃成された開放型ソケットを持ち、その外周に沿い等距離離れかつ前記中央の長手軸に平行に延びる複数のリブを持つ第２の栓と、
２個の端部とその間に劃成された円形の開孔を持つ筒を有し、前記筒の内径はその各端に一つの栓を受け入れるようなサイズにされ、前記筒の長さは、前記栓の各々が互いに対面する前記筒の各端部に挿入された時前記栓の両方の前記開孔型間に前記新しいペン先を受け入れるようなサイズである、新しいペン先と使用済みペン先を清潔に交換する装置。
【請求項５】
前記栓の周りに等距離離れた前記リブが前記筒の内径と締り嵌めできるようなサイズである請求項４記載の装置。
【発明の詳細な説明】
本発明は、万年筆のペン先の交換装置に係り、特にまた万年筆ペン先の収納容器を得ることができる装置に関する。
万年筆のペン先は、筒または他の同様なコンテナにしばしば収容されそして万年筆に挿入される前にコンテナから取り除かなければならないことは明らかである。不幸にもこの作業は、交換されるべきペン先は普通インキを含み、操作者によりペン先が握られるので通常操作員の指にインキが残るのでやっかいな作業である。
本発明は、かなり汚れの少ない操作ができ、また新しいペン先ならびに交換されるべきペン先を収納するのに使用できる装置を提供することを目的としている。
本発明によれば、各端部に開孔を持つ筒状コンテナと、この筒状コンテナの端部にそれぞれが合致し、その内部にペン先を保持するため万年筆ペン先を受入れかつ係合するためのソケット形状を有する一対の端部収納体とを備える万年筆のペン先交換装置を提供するものである。
この装置によれば、万年筆ペン先は、現存するペン先を交換するために必要な時まで、端部収容体の一つによって保持される筒状コンテナ内に貯蔵される。コンテナ内のペン先を保持するのに使用されない端部収容体は、筒状コンテナから取り除かれ、交換されるペン先と係合し次いでペン先をねじを回して緩めて取り除くために使用される。他の端部収容体により把持される交換ペン先は、次いでコンテナから取り除かれそしてペンに挿入することができ、その後端部収容体はペン先から取り除かれかつ筒状コンテナの端部に再び結合され、その後その端部収容体に装着された古いペン先がコンテナにかつ閉塞された他の端部に入れられる。操作者は単にコンテナと端部収容体とを操作するのみなので、彼又は彼女の指がペン先それ自体と接触することは決してないので、使用者の指にペン先からインキが吐出する危険はない。
端部収容体の各々は特定のスタイルのペン先即ち特定の万年筆用のペン先形状に密接に合致するソケットを有することが好ましいが、本発明では、端部収容体は異なる範囲のペン先についても使用可能である。
ペン先が万年筆内にねじ止めまたはそれからねじを回すことにより取り外す時、ペン先を把持するため端部収容体に不必要な力が加わらないようにするために、端部収容体内に与えられた角位置にペン先を固定するために、万年筆ペン先内の対応するキイ溝すなわち溝と合致するキーすなわち止め金を含むことが好ましい。
端部収容体は使用者の操作を簡単にするため異なる色を使用してもよく、その結果使用者は、繋がったダイヤグラムの簡単なセットによる装置を使用するための工程でもって導かれる。
端部収容体は、簡単な透明プラスチック筒である筒状コンテナの端部内に締めしろ嵌合することが好ましく、端部収容体の各々は筒状コンテナの端部内に合致しかつ万年筆ペン先のソケットの外側を形成する細長い栓と、使用者の把持部分を提供する大きな直径端部とを有する。細長い栓は筒状コンテナの内径に締めしろ嵌合する複数の角度を置いて配置されたリブを有し、かつ栓はその内部にペン先を固着するためのソケットにある程度の可撓性を与える一つまたはそれ以上の軸方向の溝を有する。
端部収容体を万年筆のペン先に係合するために、ペン先に端部収容体の正確な方向性を示すための輪郭形状を、端部収容体上にペン先の形状に応じて形成することができる。
本発明の装置の一実施例を図面に基づいて説明する。
図１は万年筆ペン先が装着された状態を示す装置の組み立てられた一部断面図である。
図２は端部収容体の軸方向断面図である。
図３は端部収容体の側面図である。
図４，５，６及び７図は、それぞれ端部収容体の端面図及び図２の面Ｃ−ＣとＢ−Ｂに沿う断面図である。
図８は各段階におけるペン先交換方法を示す斜視図である。
本発明による装置は、透明なプラスチック筒１と一対の同一形状の端部収容体２とを有し、端部収容体の一つは透明なプラスチック材から成り、他の一つは不透明なプラスチックから形成されている。
端部収容体はその形状はほぼ同一なので、その一つのみについて詳述する。
端部収容体は、突出した環状リブ４と、その円周の回りに等角度で固定配置された３個の軸方向リブ６を備え、さらに筒の端部内に端部収容体を固着するため筒１の可撓性を利用するため筒１の内面と締まり嵌めする細長い栓部分５とを有する。
各栓部５は、その内部に、万年筆９のペン先８の端部の形状に合致するような形状のソケット７を有している。ソケット７は、端部収容体が筒１の内部を完全に閉じるように、端部収容体の使用時における最も外側端で閉鎖されている。図４ないし図７から分かるように、ソケット７の断面形状は、ペン先８の端部がペン先のねじ山１０と万年筆の補完のねじ山（図示せず）で万年筆９とねじ止めされるように、ペン先８の端部と緊密に合致するようになっており、止め金すなわちキー１１が、ペン先８の下部に沿って形成される軸方向の溝と係合するようにソケット７の入り口に設けられている。
栓部５は、収納部を貫通し、ペン先８と合致しかつしっかり把持するようにするため栓に共に可撓性を与える一対の直径方向に対向する軸方向溝１２を備えている。ペン先の形状の輪郭形状１３が、ペン先の正確な方向性を端部収容体に示すために端部収容体の一側に形成されている。
装置の使用方法を図８の一連の順番を付けた工程で示す。第１工程で第一の端部収容体２（この場合は不透明である）が筒１の端部から取り除かれ、第２の工程ではこの収容体２が万年筆９に装着されかつ交換されるべきペン先８の端部に押しつけられる。第３の工程では端部収容体が回転され、取り除かれるペン先がねじを回して外される。端部収容体の端部は平坦な面であるので、それは一時的に平坦面に立てて置くことができる。第４工程において他の端部収容体２が、置換ペン先８をそれと共に支持している筒１から取り出される。第５工程に示すように、置換ペン先８が万年筆９の端部に挿入されそしてそれと係合するようにねじ止めされる。第６の工程では他の端部収容体２が取り除かれ、第７工程では両端部収容体が筒１に再装着され、不透明な端部収容体はその内に置換されたペン先を保持する。置換されたペン先は修理または交替または処分のために戻される。
ペン先の把持体として端部収容体を使用することは、使用者がペン先を直接取り扱うことを無くし、使用者の指にインキが吐出することを避けることができる。
【図１】
0003776451.tif 000002
【図２】
0003776451.tif 000003
【図３】
0003776451.tif 000004
【図４】
0003776451.tif 000005
【図５】
0003776451.tif 000006
【図６】
0003776451.tif 000007
【図７】
0003776451.tif 000008
【図８】
0003776451.tif 000009